(57)【特許請求の範囲】
【請求項１】
ベース燃焼位置、及び該ベース燃焼位置よりも高い燃焼位置である高位燃焼位置を含む複数の段階的な燃焼位置で燃焼可能なボイラを複数備え、複数の前記ボイラに優先順位が設定されたボイラ群と、該ボイラ群の燃焼状態を制御する制御部と、を備えるボイラシステムであって、
前記制御部は、前記ボイラ群のうちのいずれかのボイラにおいて、前記ベース燃焼位置と前記高位燃焼位置との間で燃焼位置の変更が所定時間に所定回数行われた場合、該燃焼位置の変更が行われた対象ボイラの優先順位を変更するボイラシステム。
【請求項２】
前記制御部は、複数の前記ボイラの優先順位を一つずつ繰り上げて、又は繰り下げて前記対象ボイラの優先順位を変更する請求項１に記載のボイラシステム。
【請求項３】
前記制御部は、前記対象ボイラと、該対象ボイラの次に優先順位の高いボイラとの間で優先順位を入れ替えて前記対象ボイラの優先順位を変更する請求項１に記載のボイラシステム。
【請求項４】
前記制御部は、前記対象ボイラの優先順位が最下位であった場合には、該対象ボイラよりも優先順位の高いいずれかのボイラとの間で優先順位を入れ替えて前記対象ボイラの優先順位を変更する請求項３に記載のボイラシステム。
【発明の詳細な説明】
【技術分野】
【０００１】
本発明は、複数の段階的な燃焼位置で燃焼可能なボイラを複数有するボイラ群を備えるボイラシステムに関する。
【背景技術】
【０００２】
従来、複数の段階的な燃焼位置で燃焼可能なボイラを複数有するボイラ群と、要求される負荷に応じてボイラ群の燃焼状態を制御する制御部と、を備えるボイラシステムが提案されている。
例えば、特許文献１には、複数のボイラを高効率燃焼位置に移行させた後に、いずれかのボイラを高効率燃焼位置よりも高い燃焼位置に移行させるボイラシステムが提案されている。
【先行技術文献】
【特許文献】
【０００３】
【特許文献１】特開２０１０−４８５３３号公報
【発明の概要】
【発明が解決しようとする課題】
【０００４】
ところで、複数の段階的な燃焼位置で燃焼可能なボイラでは、燃焼位置に応じて、ボイラ内に保持される水（缶水）の設定水位は異なる。即ち、缶水が穏やかに沸騰して蒸発する低い燃焼位置では、缶水の水位は高く設定される。一方、缶水が激しく沸騰して蒸発する高い燃焼位置では、缶水の水位は低く設定される。
【０００５】
ここで、ボイラは、蒸気を生成する缶体と、この缶体で生成された蒸気中の水分を分離するセパレータと、を備えて構成される。そのため、例えば、要求負荷の変動により、低い燃焼位置から高い燃焼位置に移行した場合に、缶水の水位が高い状態で蒸発量が増加することにより、缶水の一部がセパレータに持ち出されてしまったとしても、セパレータにより蒸気中の水分は分離され、ボイラから供給される蒸気の乾き度の低下は防げる。
【０００６】
しかしながら、燃焼位置の変更を伴う範囲での要求負荷の変動が繰り返された場合等には、低い燃焼位置から高い燃焼位置への燃焼位置の移行の回数も増加する。すると、缶体からセパレータに持ち出される缶水の量が多くなることで、セパレータにおいて蒸気中の水分を十分に分離できなくなり、その結果、ボイラから供給される蒸気の乾き度が低下してしまう。
【０００７】
従って、本発明は、複数の段階的な燃焼位置で燃焼可能なボイラを複数有するボイラ群を備えるボイラシステムにおいて、所定の範囲において要求負荷が繰り返し変動した場合等であっても、ボイラから供給される蒸気の乾き度が低下しにくいボイラシステムを提供することを目的とする。
【課題を解決するための手段】
【０００８】
本発明は、ベース燃焼位置、及び該ベース燃焼位置よりも高い燃焼位置である高位燃焼位置を含む複数の段階的な燃焼位置で燃焼可能なボイラを複数備え、複数の前記ボイラに優先順位が設定されたボイラ群と、該ボイラ群の燃焼状態を制御する制御部と、を備えるボイラシステムであって、前記制御部は、前記ボイラ群のうちのいずれかのボイラにおいて、前記ベース燃焼位置と前記高位燃焼位置との間で燃焼位置の変更が所定時間に所定回数行われた場合、該燃焼位置の変更が行われた対象ボイラの優先順位を変更するボイラシステムに関する。
【０００９】
また、前記制御部は、複数の前記ボイラの優先順位を一つずつ繰り上げて、又は繰り下げて前記対象ボイラの優先順位を変更することが好ましい。
【００１０】
また、前記制御部は、前記対象ボイラと、該対象ボイラの次に優先順位の高いボイラとの間で優先順位を入れ替えて前記対象ボイラの優先順位を変更することが好ましい。
【００１１】
また、前記制御部は、前記対象ボイラの優先順位が最下位であった場合には、該対象ボイラよりも優先順位の高いいずれかのボイラとの間で優先順位を入れ替えて前記対象ボイラの優先順位を変更することが好ましい。
【発明の効果】
【００１２】
本発明のボイラシステムによれば、所定の範囲において要求負荷が繰り返し変動した場合等であっても、ボイラから供給される蒸気の乾き度が低下しにくい。
【図面の簡単な説明】
【００１３】
【図１】本発明の一実施形態に係るボイラシステムの概略を示す図である。
【図２】本発明の一実施形態に係るボイラ群の概略を示す図である。
【図３】本発明の一実施形態に係る各ボイラの燃焼パターン及び優先順位と、蒸気圧制御範囲における蒸気圧帯との関係を示す図である。
【図４】本発明の一実施形態に係るボイラシステムの動作の概略を示す図である。
【図５】本発明の一実施形態に係るボイラシステムの動作の概略を示す図である。
【図６】本発明の一実施形態に係るボイラシステムの動作の概略を示す図である。
【図７】本発明の一実施形態に係るボイラシステムの動作を示すフロー図である。
【発明を実施するための形態】
【００１４】
以下、本発明のボイラシステムの好ましい一実施形態について、図面を参照しながら説明する。
まず、本発明のボイラシステム１の全体構成につき、図１を参照しながら説明する。
ボイラシステム１は、複数（４台）のボイラ２０を含むボイラ群２と、これら複数のボイラ２０において生成された蒸気を集合させる蒸気ヘッダ６と、この蒸気ヘッダ６の内部の圧力を測定する蒸気圧センサ７と、ボイラ群２の燃焼状態を制御する制御部４を有する台数制御装置３と、を備える。
【００１５】
ボイラ群２は、負荷機器としての蒸気使用設備１８に供給する蒸気を生成する。
蒸気ヘッダ６は、蒸気管１１を介してボイラ群２を構成する複数のボイラ２０に接続されている。この蒸気ヘッダ６の下流側は、蒸気管１２を介して蒸気使用設備１８に接続されている。
蒸気ヘッダ６は、ボイラ群２で生成された蒸気を集合させて貯留することにより、複数のボイラ２０の相互の圧力差及び圧力変動を調整し、圧力が調整された蒸気を蒸気使用設備１８に供給する。
【００１６】
蒸気圧センサ７は、信号線１３を介して、台数制御装置３に電気的に接続されている。蒸気圧センサ７は、蒸気ヘッダ６の内部の蒸気圧（ボイラ群２で発生した蒸気の圧力）を測定し、測定した蒸気圧に係る信号（蒸気圧信号）を、信号線１３を介して台数制御装置３に送信する。
【００１７】
台数制御装置３は、信号線１６を介して、複数のボイラ２０と電気的に接続されている。この台数制御装置３は、蒸気圧センサ７により測定される蒸気ヘッダ６の内部の蒸気圧に基づいて、各ボイラ２０の燃焼状態を制御する。台数制御装置３の詳細については、後述する。
【００１８】
以上のボイラシステム１は、ボイラ群２で発生させた蒸気を、蒸気ヘッダ６を介して、蒸気使用設備１８に供給可能とされている。
ボイラシステム１において要求される負荷（要求負荷）は、蒸気使用設備１８における蒸気消費量である。台数制御装置３は、この蒸気消費量の変動に対応して生じる蒸気ヘッダ６の内部の蒸気圧の変動を、蒸気圧センサ７が測定する蒸気ヘッダ６の内部の蒸気圧（物理量）に基づいて算出し、ボイラ群２を構成する各ボイラ２０の燃焼量を制御する。
【００１９】
具体的には、蒸気使用設備１８の需要の増大により要求負荷（蒸気消費量）が増加し、供給蒸気量が不足すれば、蒸気ヘッダ６の内部の蒸気圧が減少することになる。一方、蒸気使用設備１８の需要の低下により要求負荷（蒸気消費量）が減少し、供給蒸気量が過剰になれば、蒸気ヘッダ６の内部の蒸気圧が増加することになる。従って、ボイラシステム１は、蒸気圧センサ７により測定された蒸気圧の変動に基づいて、要求負荷の変動をモニターすることができる。そして、ボイラシステム１は、蒸気ヘッダ６の蒸気圧に基づいて蒸気使用設備１８の消費蒸気量（要求負荷）に応じた目標蒸発量を算出する。
【００２０】
ここで、本実施形態のボイラシステム１を構成する複数のボイラ２０について説明する。図２は、本実施形態に係るボイラ群２の概略を示す図である。
本実施形態のボイラ２０は、複数の段階的な燃焼位置を有する段階値制御ボイラからなる。段階値制御ボイラとは、燃焼を選択的にオン／オフしたり、炎の大きさを調整したりすること等により燃焼量を制御して、選択された燃焼位置に応じて燃焼量を段階的に増減可能なボイラである。
【００２１】
ボイラ２０の各燃焼位置における燃焼量は、制御対象とされる蒸気ヘッダ６における蒸気圧の圧力差に対応する量の蒸気を発生するように設定されている。段階値制御ボイラからなる４台のボイラ２０においては、それぞれ、各燃焼位置における燃焼量及び燃焼能力は、等しく設定されていてもよく、あるいは、異なって設定されていてもよい。
【００２２】
本実施形態におけるボイラ２０は、図２に示すように、燃焼停止位置（０％）、低燃焼位置（２０％）、ベース燃焼位置としての中燃焼位置（６０％）、及び高位燃焼位置としての高燃焼位置（１００％）の４段階の燃焼位置で燃焼可能とされるいわゆる４位置制御のボイラ２０により構成される。この場合、例えば、一台のボイラ２０の高燃焼位置における燃料状態（高燃焼状態）の燃焼量が３０００ｋｇ／ｈであった場合、中燃焼位置における燃焼量は１８００ｋｇ／ｈとなり、低燃焼位置における燃焼量は６００ｋｇ／ｈとなる。
【００２３】
尚、Ｎ位置制御とは、段階値制御ボイラの燃焼量を、燃焼停止位置を含めてＮ位置に段階的に制御可能なことを表す。燃焼位置の個数は、３位置（燃焼停止位置、低燃焼位置、及び高燃焼位置）、又は５位置以上でもよい。
【００２４】
以上のボイラ群２には、各ボイラ２０とその各燃焼位置との組み合わせからなる複数の燃焼パターンが設定されている。図３は、本実施形態に係る各ボイラ２０の燃焼パターン及び優先順位と、蒸気圧制御範囲における蒸気圧帯との関係を示す図である。
本実施形態においては、図３に示すように、燃焼パターンは、ボイラを高燃焼位置で燃焼させる状態（高燃焼状態）にする場合を「Ｈ」、中燃焼位置で燃焼させる状態（中燃焼状態）にする場合を「Ｍ」、低燃焼位置で燃焼させる状態（低燃焼状態）にする場合を「Ｌ」、燃焼停止状態にする場合を「−」として示す。
【００２５】
燃焼パターンは、要求負荷が小さくなるほど、つまり蒸気圧センサ７にて検出される蒸気圧が高くなるほど燃焼量が小さいパターンが選択される。また、要求負荷が大きくなるほど、つまり蒸気圧が低下するほど燃焼量が大きいパターンが選択される。図３に示すように、本実施形態では、蒸気圧制御範囲は、ａ〜ｍの１３の蒸気圧帯に区分される。そして、ボイラシステム１は、蒸気圧帯ごとに、対応する燃焼パターン、即ち、燃焼状態（燃焼位置）を設定しておき、蒸気圧がどの圧力帯に対応するかによって燃焼量を決定する。燃焼パターンは、１３の蒸気圧帯に対応して、１３パターン設定される。
【００２６】
より具体的には、図３に示すように、最上位の蒸気圧帯ａ（要求負荷が小さい場合）においては、すべてのボイラ２０が燃焼停止位置（−）に位置し、最下位の蒸気圧帯ｍ（要求負荷が大きい場合）においては、すべてのボイラ２０が高燃焼位置（Ｈ）に位置する。
【００２７】
複数のボイラ２０には、それぞれ優先順位が設定されている。優先順位は、燃焼指示や燃焼停止指示を行うボイラを選択するために用いられる。優先順位は、例えば整数値を用いて、数値が小さいほど優先順位が高くなるよう設定することができる。図２及び図３に示すように、ボイラ２０の１号機〜４号機のそれぞれに「１」〜「４」の優先順位が割り当てられている場合、１号機の優先順位が最も高く、４号機の優先順位が最も低い。この優先順位は、通常の場合、後述の制御部４の制御により、所定の時間間隔（例えば、２４時間間隔）で変更される。
【００２８】
本実施形態では、図３に示すように、最上位の蒸気圧帯ａから最下位の蒸気圧帯ｍに向けて蒸気圧が低下していく場合、通常の制御においては、最も優先順位が高いボイラ（ここでは１号ボイラ）が燃焼停止状態（−）から低燃焼状態（Ｌ）に変更された後に、次に順位が高いボイラ（ここでは２号ボイラ）が燃焼停止状態（−）から低燃焼状態（Ｌ）に変更される。そして、すべてのボイラ２０が低燃焼状態（Ｌ）に変更された後、最も優先順位が高いボイラ２０（ここでは１号ボイラ）から順に中燃焼状態（Ｍ）に変更される。また、すべてのボイラ２０が中燃焼位置（Ｍ）に変更された後に、最も優先順位の高いボイラから順に高燃焼位置（Ｈ）に変更される。
【００２９】
次に、本実施形態のボイラシステム１による複数のボイラ２０の燃焼状態の制御の詳細について説明する。
台数制御装置３は、蒸気圧センサ７からの蒸気圧信号に基づいて、要求負荷に応じたボイラ群２の必要燃焼量及び必要燃焼量に対応する各ボイラ２０の燃焼位置（燃焼状態）を算出し、各ボイラ２０（後述のローカル制御部２５）に台数制御信号を送信する。この台数制御装置３は、図１に示すように、記憶部５と、制御部４と、を備える。
【００３０】
記憶部５は、台数制御装置３（制御部４）の制御により各ボイラ２０に対して行われた指示の内容や、各ボイラ２０から受信した燃焼状態（燃焼位置）等の情報、複数のボイラ２０の燃焼パターンの設定条件等の情報、複数のボイラ２０の優先順位の設定の情報、優先順位の変更（ローテーション）に関する設定の情報等を記憶する。
【００３１】
制御部４は、信号線１６を介して各ボイラ２０に各種の指示を行ったり、各ボイラ２０から各種のデータを受信したりして、３台のボイラ２０の燃焼状態（燃焼位置）や優先順位を制御する。各ボイラ２０は、台数制御装置３から燃焼位置の変更指示の信号を受けると、その指示に従って当該ボイラ２０を制御する。
【００３２】
ボイラ２０は、図１に示すように、燃焼が行われるボイラ本体２１と、ボイラ２０の内部の蒸気圧を測定するローカル蒸気圧測定部２７と、ボイラ２０の燃焼位置（燃焼状態）を制御するローカル制御部２５と、を備える。
【００３３】
ローカル蒸気圧測定部２７は、蒸気圧センサから構成され、ボイラ２０の内部の蒸気圧を測定する。
【００３４】
ローカル制御部２５は、要求負荷に応じてボイラ２０の燃焼位置（燃焼状態）を変更させる。具体的には、ローカル制御部２５は、信号線１６を介して台数制御装置３から送信される台数制御信号に基づいて、又はローカル蒸気圧測定部２７により測定されたボイラ２０の内部の蒸気圧に基づいて、ボイラ２０の燃焼状態を制御する。
また、ローカル制御部２５は、台数制御装置３で用いられる信号を、信号線１６を介して台数制御装置３に送信する。台数制御装置３で用いられる信号としては、ボイラ２０の内部の蒸気圧、ボイラ２０の実際の燃焼状態、及びその他のデータが挙げられる。
【００３５】
図４〜図６は、いずれも本実施形態のボイラシステム１の動作の具体例の概略を示す図である。
本実施形態では、ボイラ群２のうちのいずれかのボイラ２０において、ベース燃焼位置としての中燃焼位置（Ｍ）と、高位燃焼位置としての高燃焼位置（Ｈ）と、の間で燃焼位置の変更が所定時間（例えば、１０分間）に所定回数（例えば、５回）行われた場合、燃焼位置の変更が行われた対象ボイラの優先順位を変更する。
具体的には、例えば、図３に示すボイラ群２において、要求負荷が６５％（７８００ｋｇ／ｈ）付近で安定している場合には、図３及び図４（ａ）に示すように、２号ボイラ、３号ボイラ及び４号ボイラが中燃焼位置（Ｍ）で燃焼し、１号ボイラが高燃焼位置（Ｈ）で燃焼する状態が継続することで、ボイラ群２により生成される蒸気量（８４００ｋｇ／ｈ）が蒸気使用設備１８で使用される蒸気量（７８００ｋｇ／ｈ）を上回る。すると、蒸気ヘッダ６で測定される蒸気圧の値は、徐々に上昇する。そして、蒸気ヘッダ６で測定される蒸気圧の値が蒸気圧帯ｊの上限値（ｉの下限値）を上回ると、制御部４は、１号ボイラを中燃焼位置（Ｍ）で燃焼させる指示を出す。
【００３６】
一方、要求負荷が６５％付近で安定している場合に、図３及び図４（ｂ）に示すように、１号ボイラが中燃焼位置（Ｍ）で燃焼する状態（つまり１号ボイラ〜４号ボイラがいずれも中燃焼位置（Ｍ）で燃焼する状態）が継続すると、ボイラ群２により生成される蒸気量（７２００ｋｇ／ｈ）が蒸気使用設備１８で使用される蒸気量（７８００ｋｇ／ｈ）を下回る。すると、蒸気ヘッダ６で測定される蒸気圧の値は、徐々に低下する。そして、蒸気ヘッダ６で測定される蒸気圧の値が蒸気圧帯ｊの上限値（ｉの下限値）を下回ると、制御部４は、中燃焼位置（Ｍ）で燃焼しているボイラ２０のなかで最も優先順位の高い１号ボイラを高燃焼位置（Ｈ）で燃焼させる指示を出す。
【００３７】
このように、要求負荷がある特定の範囲（ここでは、６５％）で安定している場合には、蒸気ヘッダ６で測定される蒸気圧の値が、所定のボイラ２０である対象ボイラ（ここでは、１号ボイラ）の燃焼位置をベース燃焼位置である中燃焼位置（Ｍ）と、高位燃焼位置である高燃焼位置（Ｈ）との間で変更させる閾値（ここでは、蒸気圧帯ｊの上限値）をまたいで繰り返し上下することとなる。その結果、図４（ａ）及び図４（ｂ）に示すように、対象ボイラである１号ボイラが中燃焼位置（Ｍ）と高燃焼位置（Ｈ）との間で繰り返し燃焼位置の変更を行うこととなる。
【００３８】
そこで、本実施形態では、制御部４は、記憶部５に記憶された対象ボイラ（ここでは１号ボイラ）を高燃焼位置（Ｈ）で燃焼させる指示の回数が所定時間内に所定回数に達すると、図４（ｃ）に示すように、１号ボイラ２０から４号ボイラ２０の優先順位を一つずつ繰り上げて、対象ボイラである１号ボイラ２０の優先順位を変更する。即ち、制御部４は、１号ボイラ２０が高燃焼位置（Ｈ）に移行された回数が所定時間内に所定回数に達した場合、１号ボイラ２０の優先順位を「４」、２号ボイラ２０の優先順位を「１」、３号ボイラ２０の優先順位を「３」、４号ボイラ２０の優先順位を「４」に変更する。
【００３９】
すると、図４（ｃ）に示すように、優先順位の変更後においては、優先順位の最も低い１号ボイラ２０が高燃焼位置（Ｈ）で燃焼し、優先順位の高い２号ボイラ２０から４号ボイラ２０が中燃焼位置（Ｍ）で燃焼する状態となる。そのため、制御部４は、図４（ｄ）に示すように、変更後の優先順位に基づいて、１号ボイラ２０を中燃焼位置（Ｍ）に移行させ、最も優先順位の高い２号ボイラ２０を高燃焼位置（Ｈ）に移行させる。
【００４０】
これにより、中燃焼位置（Ｍ）と高燃焼位置（Ｈ）との間で繰り返し燃焼位置の変更を行うこととなっていた対象ボイラを、１号ボイラ２０から２号ボイラ２０に変更できるので、特定のボイラ２０のみが燃焼位置の変更を頻繁に行うことを防げる。
【００４１】
尚、以上の制御部４による優先順位の変更は、上述の所定の時間間隔（例えば、２４時間間隔）での優先順位の変更のタイミングには影響を与えない。即ち、燃焼位置の変更の頻度に基づく優先順位の変更の有無にかかわらず、所定の時間間隔（例えば、２４時間間隔）で優先順位は変更される。
【００４２】
また、制御部４は、いずれかのボイラ２０において、ベース燃焼位置としての中燃焼位置（Ｍ）と、高位燃焼位置としての高燃焼位置（Ｈ）と、の間で燃焼位置の変更が所定時間に所定回数行われた場合、対象ボイラと、対象ボイラの次に優先順位の高いボイラ２０との間で優先順位を入れ替えて対象ボイラの優先順位を変更してもよい。
具体的には、例えば、図３に示すように、蒸気ヘッダ６で測定される蒸気圧の値が蒸気圧帯ｌの上限値（ｋの下限値）をまたいで上下を繰り返す場合、１号ボイラ２０及び２号ボイラ２０が高燃焼位置（Ｈ）で燃焼し、３号ボイラ２０及び４号ボイラ２０が中燃焼位置（Ｍ）で燃焼する状態と、１号ボイラ２０から３号ボイラ２０が高燃焼位置（Ｈ）で燃焼し、４号ボイラ２０が中燃焼位置（Ｍ）で燃焼する状態とが繰り返される。つまり、この場合、図５（ａ）に示すように、対象ボイラとしての３号ボイラ２０が燃焼位置の変更を繰り返すこととなる。
この場合、制御部４は、対象ボイラ（ここでは３号ボイラ２０）を高燃焼位置（Ｈ）で燃焼させる指示の回数が所定時間内に所定回数に達した場合、図５（ｂ）に示すように、３号ボイラ２０（優先順位３位）と、この３号ボイラの次に優先順位が高い４号ボイラ２０（優先順位４位）の優先順位を入れ替える。
【００４３】
すると、図５（ｂ）に示すように、優先順位の変更後においては、優先順位の最も低くなった３号ボイラ２０の燃焼位置は中燃焼位置（Ｍ）に移行され、中燃焼位置（Ｍ）で燃焼するボイラ２０のうち最も優先順位の高い４号ボイラ２０が高燃焼位置（Ｈ）で燃焼する状態となる。また、優先順位の変更後に、蒸気ヘッダ６で測定される蒸気圧の値が蒸気圧帯ｌの上限値（ｋの下限値）をまたいで上下を繰り返した場合には、中燃焼位置（Ｍ）と高燃焼位置（Ｈ）との間で繰り返し燃焼位置の変更を行うこととなる対象ボイラは、３号ボイラ２０から４号ボイラ２０に変更となる。これにより、中燃焼位置（Ｍ）と高燃焼位置（Ｈ）との間で繰り返し燃焼位置の変更を行うこととなっていた対象ボイラを、３号ボイラ２０から４号ボイラ２０に変更できるので、特定のボイラ２０のみが燃焼位置の変更を頻繁に行うことを防げる。
【００４４】
また、この場合、優先順位の変更を行うボイラ２０を２台にできるので、ボイラ群４全体の優先順位の変更を行うことなく特定のボイラ２０のみが燃焼位置の変更を頻繁に行うことを防げる。
また、対象ボイラ（ここでは３号ボイラ２０）を缶水の沸騰状態が相対的に穏やかなベース燃焼位置である中燃焼位置（Ｍ）に維持させられるので、セパレータの内部の水位を速やかに低下させられる。
【００４５】
また、制御部４は、いずれかのボイラ２０において、ベース燃焼位置としての中燃焼位置（Ｍ）と、高位燃焼位置としての高燃焼位置（Ｈ）と、の間で燃焼位置の変更が所定時間に所定回数行われた場合において、対象ボイラの優先順位が最下位であったときには、対象ボイラよりも優先順位の高いいずれかのボイラ２０との間で優先順位を入れ替えてもよい。
具体的には、例えば、図３に示すように、蒸気ヘッダ６で測定される蒸気圧の値が蒸気圧帯ｍの上限値（ｌの下限値）をまたいで上下を繰り返す場合、１号ボイラ２０から３号ボイラ２０が高燃焼位置（Ｈ）で燃焼し、４号ボイラ２０が中燃焼位置（Ｍ）で燃焼する状態と、１号ボイラ２０から４号ボイラ２０がいずれも高燃焼位置（Ｈ）で燃焼する状態とが繰り返される。つまり、この場合、図６（ａ）に示すように、優先順位が最下位の４位である対象ボイラとしての４号ボイラ２０が燃焼位置の変更を繰り返すこととなる。
この場合、制御部４は、優先順位が最下位である対象ボイラ（ここでは４号ボイラ２０）を高燃焼位置（Ｈ）で燃焼させる指示の回数が所定時間内に所定回数に達した場合には、図６（ｂ）に示すように、４号ボイラ２０（優先順位４位）と、この４号ボイラ２０よりも優先順位が高い３号ボイラ２０（優先順位３位）の優先順位を入れ替える。
【００４６】
すると、図６（ｂ）に示すように、優先順位の変更後においては、優先順位が３位に上がった４号ボイラ２０の燃焼位置は高燃焼位置（Ｈ）に維持される。そして、この状態で蒸気ヘッダ６で測定される蒸気圧の値が蒸気圧帯ｍの上限値（ｌの下限値）を上回った場合には、優先順位が４位に下がった３号ボイラ２０が高燃焼位置（Ｈ）から中燃焼位置（Ｍ）に移行される。即ち、優先順位の変更後に、蒸気ヘッダ６で測定される蒸気圧の値が蒸気圧帯ｍの上限値（ｌの下限値）をまたいで上下を繰り返した場合には、中燃焼位置（Ｍ）と高燃焼位置（Ｈ）との間で繰り返し燃焼位置の変更を行うこととなる対象ボイラは、４号ボイラ２０から３号ボイラ２０に変更となる。これにより、中燃焼位置（Ｍ）と高燃焼位置（Ｈ）との間で繰り返し燃焼位置の変更を行うこととなっていた対象ボイラを、４号ボイラ２０から３号ボイラ２０に変更できるので、特定のボイラ２０のみが燃焼位置の変更を頻繁に行うことを防げる。
【００４７】
次に、本実施形態のボイラシステム１の動作の一例につき、図３、図４及び図７を参照しながら説明する。図７は、ボイラシステム１の動作を示すフロー図である。
ここでは、まず、図３及び図４（ｂ）に示すように、ボイラ２０の１号機から４号機のそれぞれに「１」〜「４」の優先順位が割り当てられている場合において、１号機のボイラ２０から４号機のボイラ２０がいずれもベース燃焼位置としての中燃焼位置（Ｍ）で燃焼している状態で、蒸気圧センサ７により測定される蒸気ヘッダ６の蒸気圧が蒸気圧帯ｉの下限値（ｊの上限値）である第１閾値をまたいで上下を繰り返した場合のボイラシステム１の動作について説明する。この状態では、蒸気圧センサ７により測定される蒸気ヘッダ６の蒸気圧は、図３に示す蒸気圧帯ｊの範囲に位置している。
【００４８】
この場合、図７に示すように、まず、ステップＳＴ１において、制御部４は、蒸気圧センサ７により測定される蒸気ヘッダ６の蒸気圧を監視する。ここで、蒸気圧センサ７により測定される蒸気ヘッダ６の蒸気圧が図３に示す第１閾値を下回っていない場合、処理はステップＳＴ１に戻る。蒸気圧センサ７により測定される蒸気ヘッダ６の蒸気圧が第１閾値を下回った場合、処理はステップＳＴ２に進む。
【００４９】
ステップＳＴ２において、制御部４は、中燃焼位置（Ｍ）で燃焼しているボイラ２０のうち最も優先順位の高い１号ボイラ２０のローカル制御部２５に、１号ボイラ２０を高燃焼位置（Ｈ）に移行させる指示（高燃焼移行指示）を出す。１号ボイラ２０のローカル制御部２５は、図４（ａ）に示すように、１号ボイラ２０を高燃焼位置（Ｈ）で燃焼させる。そして、処理は、ステップＳＴ３に進む。
【００５０】
ステップＳＴ３において、制御部４は、１号ボイラ２０に出した指示の内容及び指示を出した時間を記憶部５に記憶させる。そして、処理は、ステップＳＴ４に進む。
【００５１】
ステップＳＴ４において、制御部４は、１号ボイラ２０を高燃焼位置（Ｈ）に移行させる指示を出した頻度が所定の頻度を上回っているかを判定する。具体的には、制御部４は、記憶部５に記憶された情報に基づいて、ｎ回前（例えば、４回前）の高燃焼移行指示から今回の高燃焼移行指示までの時間がＴ１時間（例えば１０分）未満であるかを判定する。制御部４により、ｎ回前の高燃焼移行指示から今回の高燃焼移行指示までの時間がＴ１時間未満であると判定された場合、処理はステップＳＴ５に進む。制御部４により、ｎ回前の高燃焼移行指示から今回の高燃焼移行指示までの時間がＴ１時間未満であると判定されなかった場合、本処理のフローを終了する。
【００５２】
ステップＳＴ５において、制御部４は、図４（ｃ）に示すように、１号ボイラ２０から４号ボイラ２０の優先順位を一つずつ繰り上げて、対象ボイラの優先順位を変更する。そして、処理は、ステップＳＴ６に進む。
【００５３】
ステップＳＴ６において、制御部４は、図４（ｄ）に示すように、変更後の優先順位に基づいて、優先順位が下がった１号ボイラ２０のローカル制御部２５に、１号ボイラ２０を中燃焼位置（Ｍ）に移行させる指示を出す。また、最も優先順位の高い２号ボイラ２０のローカル制御部２５に、２号ボイラ２０を高燃焼位置（Ｈ）に移行させる指示を出す。１号ボイラ２０のローカル制御部２５は、１号ボイラ２０を中燃焼位置（Ｍ）で燃焼させる。また、２号ボイラ２０のローカル制御部２５は、２号ボイラ２０を高燃焼位置（Ｈ）で燃焼させる。そして、本処理のフローを終了する。
【００５４】
以上説明した本実施形態のボイラシステム１によれば、以下のような効果を奏する。
【００５５】
（１）ボイラシステム１においては、低い燃焼位置から高い燃焼位置への燃焼位置の変更が短時間の間に繰り返されると、缶体からセパレータに持ち出される缶水の量が多くなることで、セパレータにおいて蒸気中の水分を十分に分離できなくなる。その結果、ボイラ２０から供給される蒸気の乾き度が低下してしまう。そこで、制御部４に、ベース燃焼位置としての中燃焼位置（Ｍ）と、高位燃焼位置としての高燃焼位置（Ｈ）と、の間で燃焼位置の変更が所定時間に所定回数行われた場合に、対象ボイラの優先順位を変更させた。これにより、燃焼位置の変更が頻繁に行われるボイラ２０が生じた場合に、この対象ボイラの優先順位を変更することで、対象ボイラの燃焼位置を高位燃焼位置又はベース燃焼位置のいずれかに維持させられる。よって、特定のボイラ２０において燃焼位置の変更が頻繁に行われることを防げるので、燃焼位置の変更が頻繁に行われることに起因して、ボイラ２０から供給される蒸気の乾き度が低下することを防げる。
【００５６】
（２）対象ボイラの優先順位の変更を行う場合に、制御部４に、対象ボイラの優先順位を下位の順位に変更させた。これにより、対象ボイラを低い燃焼位置であるベース燃焼位置に維持させられる。よって、対象ボイラを、缶水の沸騰状態が相対的に穏やかなベース燃焼位置に維持させられるので、セパレータの内部の水位を速やかに低下させられる。その結果、対象ボイラから供給される蒸気の乾き度が低下することをより効果的に防げる。
【００５７】
（３）対象ボイラの優先順位の変更を行う場合に、制御部４に、複数のボイラ２０の優先順位を一つずつ繰り上げさせた。これにより、複数のボイラ２０の初期設定時の優先順位の順序を変更することなく、燃焼位置の変更が頻繁に行われることに起因して、ボイラから供給される蒸気の乾き度が低下することを防げる。
【００５８】
（４）優先順位の変更を行う場合に、制御部４に、対象ボイラと、この対象ボイラの次に優先順位の高いボイラ２０との間で優先順位を入れ替えさせた。これにより、複数のボイラ２０のうちの２つのボイラ２０の優先順位を変更することで、対象ボイラの燃焼位置が頻繁に変更されることを防げる。よって、複数のボイラ２０のうちの２つのボイラ２０以外のボイラ２０の優先順位は変わらないので、ボイラ群２全体の燃焼状態に与える影響を低減しつつ、ボイラ２０から供給される蒸気の乾き度の低下を防げる。特に、ボイラ群２を構成するボイラ２０の数が多い場合には、ボイラ群２全体の燃焼状態に与える影響の低減効果を向上させられる。
【００５９】
以上、本発明のボイラシステム１の好ましい一実施形態につき説明したが、本発明は、上述の実施形態に制限されるものではなく、適宜変更が可能である。
例えば、本実施形態では、本発明のボイラシステム１を、４位置制御のボイラ２０に適用したが、これに限らない。即ち、本発明のボイラシステム１を、３位置制御のボイラに適用してもよく、複数の中燃焼位置を有する５位置制御以上のボイラに適用してもよい。
【００６０】
また、本実施形態では、制御部４に、ベース燃焼位置である中燃焼位置（Ｍ）から高位燃焼位置である高燃焼位置（Ｈ）への燃焼位置の変更の頻度に基づいてボイラ群２の優先順位を変更させたが、これに限らない。即ち、制御部に、高位燃焼位置からベース燃焼位置への燃焼位置の変更の頻度に基づいてボイラ群の優先順位を変更させてもよい。
【００６１】
また、本実施形態では、ベース燃焼位置を中燃焼位置（Ｍ）とし、高位燃焼位置を高燃焼位置（Ｈ）として本発明のボイラシステム１に適用したが、これに限らない。即ち、ベース燃焼位置を低燃焼位置とし、高位燃焼位置を中燃焼位置として本発明のボイラシステムに適用してもよい。
【００６２】
また、本実施形態では、対象ボイラの優先順位の変更を行う場合に、制御部４に複数のボイラ２０の優先順位を一つずつ繰り上げさせたが、これに限らない。即ち、対象ボイラの優先順位の変更を行う場合に、制御部に複数のボイラの優先順位を一つずつ繰下げさせてもよい。
【００６３】
また、本実施形態では、本発明を、４台のボイラ２０からなるボイラ群２を備えるボイラシステムに適用したが、これに限らない。即ち、本発明を、５台以上のボイラからなるボイラ群を備えるボイラシステムに適用してもよく、また、２台のボイラからなるボイラ群を備えるボイラシステムに適用してもよい。
【符号の説明】
【００６４】
１  ボイラシステム
２  ボイラ群
４  制御部
２０  ボイラ
Ｍ  中燃焼位置（ベース燃焼位置）
Ｈ  高燃焼位置（高位燃焼位置）
【図１】
0005838886.tif 000002
【図２】
0005838886.tif 000003
【図３】
0005838886.tif 000004
【図４】
0005838886.tif 000005
【図５】
0005838886.tif 000006
【図６】
0005838886.tif 000007
【図７】
0005838886.tif 000008